(57)【特許請求の範囲】
【請求項１】
光源を含む光学系が配設された鏡筒と、
上記鏡筒が挿通される開口部が形成されたベースと、
上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に支持し、上記ベースに取り付けられた対物レンズ駆動機構とを備え、
上記開口部に挿通された上記鏡筒は、この鏡筒の光軸を中心に回転可能に上記ベースに支持されるとともに、上記対物レンズ駆動機構に設けられた押圧支持部によって上記鏡筒の光軸と平行な方向に押圧支持され、
上記鏡筒を押圧支持する上記押圧支持部は、上記ベースに固定される上記対物レンズ駆動機構を構成するヨークと一体に形成された光ピックアップ装置。
【請求項２】
上記鏡筒には、上記ベースに形成された上記開口部の周縁に係止されるフランジ部が設けられていることを特徴とする請求項１記載の光ピックアップ装置。
【請求項３】
光源を含む光学系が配設された鏡筒と、この鏡筒が挿通される開口部が形成され、上記開口部に挿通された鏡筒がこの鏡筒の光軸を中心に回転可能に支持されるベースと、上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に支持し、上記ベースに取り付けられた対物レンズ駆動機構とを備え、上記鏡筒は、上記対物レンズ駆動機構に設けられるとともに上記ベースに固定される上記対物レンズ駆動機構を構成するヨークと一体に形成された押圧支持部によって上記鏡筒の光軸と平行な方向に押圧支持されてなる光ピックアップ装置の調整方法において、
上記鏡筒をこの鏡筒の光軸を中心に回転させ、上記光源から出射され回折格子により分割された光ビームの主ビームが光記録媒体の記録トラック上に位置し上記主ビームの両側に位置する一対の副ビームが上記主ビームを挟んで上記記録トラックの両側に位置するように調整する光ピックアップ装置の調整方法。
【請求項４】
上記鏡筒をこの鏡筒の光軸を中心に回転させ、上記光源から出射され回折格子により分割された光ビームの主ビームが光記録媒体の記録トラック上に位置し上記主ビームの両側に位置する一対の副ビームが上記主ビームを挟んで上記記録トラックの両側に位置するように調整した後、上記対物レンズ駆動機構のベースに対する上記対物レンズの光軸方向の取り付け角度を調整するようにしたことを特徴とする請求項３記載の光ピックアップ装置の調整方法。
【請求項５】
光源を含む光学系が配設された鏡筒と、この鏡筒が挿通される開口部が形成され、上記開口部に挿通された鏡筒がこの鏡筒の光軸を中心に回転可能に支持されるベースと、上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に支持し、上記ベースに取り付けられた対物レンズ駆動機構とを備え、上記鏡筒は、上記対物レンズ駆動機構に設けられるとともに上記ベースに固定される上記対物レンズ駆動機構を構成するヨークと一体に形成された押圧支持部によって上記鏡筒の光軸と平行な方向に押圧支持されてなる光ピックアップ装置の調整方法において、
上記鏡筒をこの鏡筒の光軸を中心に回転させ、上記光源から出射され非点較差を有する光ビームの光記録媒体の記録トラック上において楕円形状とされるスポットが所定の記録トラックの中心上に位置する際に隣接する記録トラックに掛からない方向に、上記楕円形状のスポットの向きを調整するようにした光ピックアップ装置の調整方法。
【請求項６】
上記鏡筒をこの鏡筒の光軸を中心に回転させ、上記光源から出射され光ビームの光記録媒体の記録トラックに対する位置を調整した後、上記対物レンズ駆動機構のベースに対する上記対物レンズの光軸方向の取り付け角度を調整するようにしたことを特徴とする請求項５記載の光ピックアップ装置の調整方法。
【請求項７】
移動ガイド機構に移動可能に支持された光ピックアップ装置を備えた光ディスク記録及び／又は再生装置において、
上記光ピックアップ装置は、
光源を含む光学系が配設された鏡筒と、
上記鏡筒が挿通される開口部が形成されたベースと、
上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に支持し、上記ベースに取り付けられた対物レンズ駆動機構とを備え、
上記開口部に挿通された上記鏡筒は、この鏡筒の光軸を中心に回転可能に上記ベースに支持されるとともに、上記対物レンズ駆動機構に設けられた押圧支持部によって上記鏡筒の光軸と平行な方向に押圧支持され、
上記鏡筒を押圧支持する上記押圧支持部は、上記ベースに固定される上記対物レンズ駆動機構を構成するヨークと一体に形成された
ことを特徴とする光ディスク記録及び／又は再生装置。
【発明の詳細な説明】
【０００１】
【発明の属する技術分野】
本発明は、光ディスクなどの光記録媒体を記録媒体に用いる光ディスク記録及び／又は再生装置に用いられる光ピックアップ装置及び装置の調整方法に関し、さらには、この光ピックアップ装置を用いた光ディスク記録及び／又は再生装置に関する。
【０００２】
【従来の技術】
光ディスクを記録媒体に用いる記録及び／又は再生装置に用いられる光ピックアップ装置は、光源としての半導体レーザから出射され光ディスクに照射される光ビームが光ディスクの記録トラッキングを正確に走査するようにトラッキング制御が行われる。このトラッキング制御は、光ビームを収束して光ディスクに照射する対物レンズを、この対物レンズの光軸に直交する方向に駆動変位させて行う。対物レンズのトラッキング制御は、光ディスクの所定の記録トラックに照射される光ビームのずれ量であるトラッキングエラー信号を検出し、このトラッキングエラー信号に基づいて対物レンズ駆動機構を駆動させることによって行われる。
【０００３】
トラッキングエラー信号を得る方法として３本の光ビームを用いた３スポット法や１本の光ビームを用いたプッシュプル法等が用いられている。
【０００４】
３スポット法は、半導体レーザから出射される光ビームを回折格子により主ビームである０次光と副ビームとしての２本の１次回折光とに分割する。主ビームとこの主ビームの両側に位置する２本の副ビームが光ディスクの記録トラックに対し一定の角度をなすように照射する。そして、光ディスクから反射された副ビームをそれぞれフォトディテクタにより検出し、この検出出力に基づいてトラッキングエラー信号を得る。
【０００５】
また、プッシュプル法は、半導体レーザから出射された１本の光ビームを光ディスクに照射し、光ディスクから反射される戻り光を２分割フォトディテクタにより検出し、このフォトディテクタの各検出部から得られる検出出力に基づいてトラッキングエラー信号を得る。
【０００６】
【発明が解決しようとする課題】
ところで、３スポット法を用いてトラッキングエラー信号を得るようにした光ピックアップ装置にあっては、正確なトラッキング制御を行うためには、主ビームが記録トラック上に位置するとき、主ビームとこの主ビームの両側に位置する２本の副ビームが光ディスクの記録トラックに対し一定の角度をなすように配列される必要がある。すなわち、３スポット法は、主ビームの両側に位置する副ビームの光ディスクからの反射光量の差を検出することにより主ビームの記録トラックに対するずれ量を検出するものであるので、副ビームが記録トラックの左右に一定量ずれた状態で光ディスクに照射される必要がある。
【０００７】
そこで、３スポット法を用いてトラッキングエラー信号を検出するようにした光ピックアップ装置にあっては、ディスク記録及び／又は再生装置に取り付けられたとき、回折格子により分割された３本の光ビームが光ディスクの記録トラックに対し一定の角度で配列されるように、半導体レーザ及び回折格子を含む光学ブロックを対物レンズを互いに直交する２軸方向に駆動変位させる対物レンズ駆動機構が支持される可動ベースに対し回転可能に支持している。光学ブロックをベースに対し回転操作することにより、３本の光ビームの光ディスクの記録トラックに対する配列角度の調整が行われる。
【０００８】
また、光ピックアップ装置の光源に用いられる半導体レーザから出射される光ビームは、楕円形の広がりをもって放射されるため、対物レンズにより収束されて光ディスクに照射されて形成されるビームスポットは、非点較差を生じ楕円形になる。そのため、１本の光ビームを用いてトラッキングエラーの検出を行うプッシュプル法を採用した光ピックアップ装置においても、正確にトラッキングエラーを検出するため、光ビームが記録トラック上に位置するとき、記録トラックを中心にして左右で均等に光ビームが分布する必要がある。
【０００９】
そこで、１本の光ビームを用いてトラッキングエラーを検出するプッシュプル法などを用いた光ピックアップ装置においても、半導体レーザを含む光学ブロックを可動ベースに対し回転可能に支持し、光学ブロックをベースに対し回転操作することによって、楕円形の広がりをもって放射される光ビームが光ディスクの記録トラックに対し一定の角度で照射されるように調整が行われる。
【００１０】
ところで、ベースに対し回転可能に支持される光学ブロックは、ベースと光学ブロックの支持片との間に板バネ等の弾性部材を介在させ、光学ブロックの支持片をベースとこのベースに固定される支持部材とで挟持することによって、ベースに対し回転可能に支持されている。
【００１１】
このように、光学ブロックは、複数の部材を用いてベースに回転可能に支持されるため、光学ブロックを支持する機構が複雑であり、組み立てが困難となっている。
【００１２】
また、ベースに対する光学ブロックの取り付け角度を調整するためには、光学ブロックを支持する支持部材を固定する固定ネジを緩め、光学ブロックの回転を行った後再び固定ネジの締め付けを行う操作が必要となり、調整操作を容易に行うことができない。
【００１３】
さらに、従来提案されている光学ピックアップ装置は、光学ブロックがベースの対物レンズ駆動機構が配設される面とは反対側の面に突き合わせるようにして支持されているので、対物レンズ駆動機構を組み付けた後、光学ブロックをベースに対し回転調整する場合に装置全体を反転させる必要があり、調整を容易に行うことができない。
【００１４】
本発明の目的は、上述したような従来の光ピックアップ装置が有する問題点を解決することができる光ピックアップ装置及びその調整方法を提供することにある。
【００１５】
本発明の他の目的は、部品点数の削減を図るとともに、組み立てが容易で調整を容易に行うことができる光ピックアップ装置及びその調整方法並びのこの光ピックアップ装置を用いた光ディスク記録及び／又は再生装置を提供することにある。
【００１６】
【課題を解決するための手段】
上述したような目的を達成するため、本発明に係る光ピックアップ装置は、光源を含む光学系が配設された鏡筒と、この鏡筒が挿通される開口部が形成されたベースと、鏡筒に配設された光源から出射された光ビームを光記録媒体に収束させて照射する対物レンズを有し、対物レンズをこの対物レンズの光軸と平行な方向及び対物レンズの光軸と直交する方向に駆動変位可能に支持してベースに取り付けられた対物レンズ駆動機構とを備え、ベースの開口部に挿通された鏡筒が、この鏡筒の光軸を中心に回転可能にベースに支持されるとともに、対物レンズ駆動機構に設けられた押圧支持部によって鏡筒の光軸と平行な方向に押圧支持され、鏡筒を押圧支持する押圧支持部は、ベースに固定される対物レンズ駆動機構を構成するヨークと一体に形成されてなるものである。
さらに、本発明は、この光ピックアップ装置を移動ガイド機構に移動可能に支持した光ディスク記録及び／又は再生装置である。
【００１７】
本発明に係る光ピックアップ装置の調整方法は、光源を含む光学系が配設された鏡筒と、この鏡筒が挿通される開口部が形成され、この開口部に挿通された鏡筒がこの鏡筒の光軸を中心に回転可能に支持されるベースと、鏡筒に配設された光源から出射された光ビームを光記録媒体に収束させて照射する対物レンズを有し、対物レンズをこの対物レンズの光軸と平行な方向及び対物レンズの光軸と直交する方向に駆動変位可能に支持し、上記ベースに取り付けられた対物レンズ駆動機構とを備え、鏡筒は、対物レンズ駆動機構に設けられるとともにベースに固定される対物レンズ駆動機構を構成するヨークと一体に形成された押圧支持部によって鏡筒の光軸と平行な方向に押圧支持されてなる光ピックアップ装置の調整方法において、鏡筒をこの鏡筒の光軸を中心に回転させ、光源から出射され回折格子により分割された光ビームの主ビームが光記録媒体の記録トラック上に位置し主ビームの両側に位置する一対の副ビームが主ビームを挟んで記録トラックの両側に位置するように調整するものである。
【００１８】
更に、本発明に係る光ピックアップ装置の調整方法は、光源を含む光学系が配設された鏡筒と、この鏡筒が挿通される開口部が形成され、この開口部に挿通された鏡筒がこの鏡筒の光軸を中心に回転可能に支持されるベースと、鏡筒に配設された光源から出射された光ビームを光記録媒体に収束させて照射する対物レンズを有し、対物レンズをこの対物レンズの光軸と平行な方向及び対物レンズの光軸と直交する方向に駆動変位可能に支持してベースに取り付けられた対物レンズ駆動機構とを備え、鏡筒は、対物レンズ駆動機構に設けられるとともにベースに固定される対物レンズ駆動機構を構成するヨークと一体に形成された押圧支持部によって鏡筒の光軸と平行な方向に押圧支持されてなる光ピックアップ装置の調整方法において、鏡筒をこの鏡筒の光軸を中心に回転させ、光源から出射され非点較差を有する光ビームの光記録媒体の記録トラック上において楕円形状とされたスポットが所定の記録トラックの中心上に位置する際に隣接する記録トラックに掛からない方向に、上記楕円形状のスポットの向きを調整するようにしたものである。
【００１９】
【発明の実施の形態】
以下、本発明に係る光ピックアップ装置及び装置の調整方法を図面を参照して具体的に説明する。
【００２０】
本発明に係る光ピックアップ装置は、図１に示すように、光ディスクを記録媒体に用いるディスク記録及び／又は再生装置に設けられた移動ガイド機構に支持されるベース１を備える。ベース１は、高精度に成形することができるポリフェニレンスルフィド（ＰＰＳ）やポリカーボネイト（ＰＣ）等の合成樹脂を用いて略平板状に形成されている。ベース１の一端側には、図１及び図２に示すように、ディスク記録及び／又は再生装置に設けられる移動ガイド機構を構成する移動ガイド軸１０が挿通されるガイド軸挿通孔２が形成された一対のガイド軸支持片３，４が形成されている。ベース１の他端側には、図１に示すように、ベース１の他端部とともに移動ガイド機構を構成するディスク記録及び／又は再生装置側に設けられる移動ガイド部を支持する略Ｌ字状をなすガイド部支持片５が形成されている。
【００２１】
ベース１には、ベース１の略中央部には、光源となる半導体レーザを含む光学系が配設された鏡筒６が取り付けられる。鏡筒６は、図１に示すように、断面形状が楕円形とされた筒状に形成されている。すなわち、鏡筒６は、互いに平行となされた一対の側面と、これら側面を連続させる円弧状をなす側面とから構成されている。鏡筒６の一端部側の外周囲には、ベース１に取り付けられるときベース１に係止される支持片７が一体に形成されている。この支持片７も、鏡筒６の断面形状と同様に平面形状を楕円形として形成されている。支持片７の長手方向の両側には、鏡筒６をベース１に対し回動させる際、鏡筒６を把持する治具が係合される係合凹部７ａ，７ｂが形成されている。
【００２２】
そして、鏡筒６の基端部側には、図２及び図３に示すように、光源となる半導体レーザ、半導体レーザから出射される光ビームを主ビームである０次光と副ビームとしての２本の１次回折光とに分割する回折格子、光ディスクから反射される光ビームを検出するフォトディテクタ、半導体レーザから出射された光ビームを反射し、光ディスクから反射された光ビームをフォトディテクタに導くプリズムとを一体的に組み合わせた光学デバイス８が取り付けられている。光学デバイス８は、図２及び図３に示すように、半導体レーザから出射され光ディスクに照射される光ビームＬ1が鏡筒６の中心軸Ｐ0に平行となるように、鏡筒６の基端部側に取り付けられる。鏡筒６の光学ディスク７が取り付けられる基端部側に対向する先端側には、鏡筒６の先端側の開口部を閉塞する光透過性を有する透明なガラス板９が取り付けられている。
【００２３】
光学デバイス８を構成する半導体レーザから出射された光ビームは、光軸がプリズムの反射面により鏡筒６の中心軸と並行となるように反射された後、回折格子により主ビームである０次光と副ビームとしての２本の１次回折光とに分割されて鏡筒６の先端側から放射される。
【００２４】
鏡筒６が取り付けられるベース１には、図１に示すように、鏡筒６が挿通される開口部１１が設けられている。この開口部１１は、断面形状を楕円形となす鏡筒６が挿通され、この開口部１１内で回動し得る大きさを有する楕円形状に形成されている。開口部１１の周縁には、開口部１１に挿通される鏡筒６に設けた支持片７が係合する係合凹部１２が形成されている。
【００２５】
なお、開口部１１の長手方向の相対向する両側には、ベース１に支持される鏡筒６を回動調整する際、鏡筒６を支持する治具の挿入を可能となす切欠部１１ａ，１１ｂが形成されている。
【００２６】
鏡筒６は、光学デバイス８を取り付けた基端部側を挿入端として開口部１１に挿通され、支持片７を係合凹部１２に係合させてベース１に配設される。この鏡筒６は、支持片７が接着剤により係合凹部１２に接合されてベース１に固定される。
【００２７】
ベース１の鏡筒６の支持片７が係合する係合凹部１２が設けられた一方の面が側には、図２に示すように、鏡筒６に取り付けられた光学デバイス８から出射された光ビームを光ディスクに収束させて照射する対物レンズ１５を、対物レンズ１５の光軸と平行な方向のフォーカシング方向及び対物レンズ１５の光軸と直交する平面方向のトラッキング方向の互いに直交する２軸方向に駆動変位させる対物レンズ駆動機構１６が取り付けられる。
【００２８】
対物レンズ駆動機構１６は、図１及び図２に示すように、ベース１への取付部となるヨーク１７を備えた磁気回路部１８と、対物レンズ１５をフォーカシング方向及びトラッキング方向の２軸方向に変位可能に支持する対物レンズ支持機構１９とを備える。
【００２９】
磁気回路部１８を構成するヨーク１７は、ケイ素鋼等の高透磁率材料を用いて形成され、図１に示すように、一対の脚片２０，２１とこれら脚片２０，２１を連結する連結片２３有し全体で略Ｈ字状に形成されている。連結片２３の略中央部には、相対向して一対の立ち上がり片２４，２５が設けられ、一方の立ち上がり片２４の内面側にマグネット２６が取り付けられている。
【００３０】
一対の脚片２０，２１の先端部側には、ベース１の挿通支持された鏡筒６の支持片７を押圧支持する略Ｌ字状をなす押圧支持部２７，２８が設けられている。これら押圧支持部２７，２８は、一対の脚片２０，２１間に突出するように設けられ、先端側にベース１の係合凹部１２に係合された鏡筒６の支持片７を押圧支持する押圧突起２９，２９が突設されている。
【００３１】
なお、押圧支持部２７，２８は、一対の脚片２７，２８の先端側から突出するように形成されているので、脚片２０，２１の延長方向と略直交する図１中矢印Ｙ1方向に弾性変位可能となされている。
【００３２】
一対の脚片２０，２１の基端部側には、対物レンズ支持機構１９を支持する支持片３０，３１が立ち上がり形成されている。これら脚片２０，２１の中途部には、ベース１に設けた一対の位置決め突起３２，３２に係合する一対の位置決め孔３３，３４が穿設されている。一方の位置決め孔３３は、一方の位置決め突起３２に対する係合位置を位置決めし得るように円形に穿設され、他方の位置決め孔３４は、他方の位置決め突起３２との相対係合位置を調整し得るように長孔として形成されている。さらに、脚片２０，２１の中途部には、ヨーク１７をベース１に固定するための固定ネジ３５が挿通されるネジ挿通孔３６が穿設されている。ヨーク１７は、一対の位置決め孔３３，３４を一対の位置決め突起３２，３２にそれぞれ係合し、ネジ挿通孔３６を介してベース１に螺合される固定ネジ３５によりベース１に取り付けられる。
【００３３】
対物レンズ支持機構１９は、一端側に対物レンズ１５を保持したレンズボビン４１を備える。レンズボビン４１の中央部には、対物レンズ１５の光軸方向に貫通する矩形状のコイル取付穴４２が設けられている。コイル取付穴４２内には、矩形の筒状に形成されたフォーカシングコイル４３が接着剤等を用いて接合して取り付けられている。このフォーカシングコイル４３の外周側の一側面には、平板な矩形状に巻回された一対のトラッキングコイル４４が並列して接合されている。
【００３４】
対物レンズ１５を保持し、フォーカシングコイル４３及びトラッキングコイル４４が取り付けられたレンズボビン４１は、基端部側を固定部材４５に固定された左右一対ずつの弾性支持部材４６の先端側に支持されている。弾性支持部材４６は、薄い板バネを打ち抜くなどして線状部分を有するように形成されている。レンズボビン４１は、左右両側を一対ずつの弾性支持部材４６により支持されることにより、固定部材４５を中心にして対物レンズ１５の光軸と平行な方向及び対物レンズ１５の光軸と直交する平面方向に変位可能に支持される。
【００３５】
固定部材４５は、弾性支持部材４６の基端部側に合成樹脂をインサート成型することによって弾性支持部材４６に一体的に取り付けられている。固定部材４５は、金属板を折り曲げて形成された取付板４７に取り付けられている。
【００３６】
上述のように、対物レンズ１５を保持したレンズボビン４１を弾性支持部材４６を介して取付板４７に取り付けられた固定部材４５に支持した対物レンズ支持機構１９は、図２に示すように、マグネット２６を取り付けた一方の立ち上がり片２４をレンズボビン４１に取り付けたフォーカシングコイル４３に挿通し、他方の立ち上がり片２５をトラッキングコイル４４に対向するようにコイル取付穴４２に挿通してヨーク１７に配設される。そして、対物レンズ支持機構１９は、取付板４７の両側に折り曲げ形成した接合片４８，４８を立ち上がり片２４，２５に接着剤を用いて接合することによってヨーク１７に取り付けられ、対物レンズ駆動機構１６を構成する。
【００３７】
対物レンズ駆動機構１６は、鏡筒６に取り付けられた光学デバイス８の半導体レーザから出射され、対物レンズ１５を介して光ディスクに照射され、この光ディスクから反射された戻りの光ビームを光学デバイスのフォトディテクタにより検出されるフォーカシングエラー信号及びトラッキングエラー信号に応じた駆動電流がフォーカシングコイル４３及びトラッキングコイル４４に供給されることにより、レンズボビン４１を対物レンズ１５の光軸と平行な方向及び対物レンズ１５の光軸と直交する平面方向に駆動変位する。レンズボビン４１が駆動変位されることにより、レンズボビン４１に保持された対物レンズ１５がフォーカシング方向及びトラッキング方向に変位され、対物レンズ１５を介して光ディスクに照射される光ビームが光ディスクの信号記録面に合焦するようにフォーカシングの制御が行われ、光ディスクの所定の記録トラックを走査するようにトラッキング制御が行われる。
【００３８】
上述のような構成を備えた本発明に係る光ピックアップ装置は、次に述べるような手順によって組み立てられ、鏡筒６のベース１に対する取り付け位置の調整が行われる。
【００３９】
本発明に係る光ピックアップ装置を組み立てるには、まず、ベース１に鏡筒６を配設する。鏡筒６は、図１に示すように、光学デバイス８が取り付けられた基端側を挿入端として、対物レンズ駆動機構１６が取り付けられるベース１の一方の面側から開口部１１に挿通し、図３に示すように、開口部１１にの周縁に設けた係合凹部１２に支持片７を係合させてベース１に配設する。
【００４０】
次に、ベース１上に対物レンズ駆動機構１６の磁気回路部１８を構成するヨーク１７を取り付ける。ヨーク１７は、図４に示すように、押圧支持部２７，２８を開口部１１内に係合された鏡筒６の支持片７上に重ね、一対の位置決め孔３３，３４を一対の位置決め突起３２，３２にそれぞれ係合してベース１上に配設され、ネジ挿通孔３６に挿通される固定ネジ３５をベース１に穿設したネジ孔３５ａに螺合することによりベース１に取り付けられる。このとき、押圧支持部２７，２８の先端部に設けた押圧突起２９，２９が、図２に示すように、係合凹部１２に係合された支持片７をベース１側に押圧支持する。鏡筒６は、支持片７が押圧支持部２７，２８により押圧支持されることによりベース１に圧着支持され、鏡筒６内を透過する光ビームの光軸と平行な方向への移動が規制された状態におかれる。
【００４１】
また、鏡筒６は、開口部１１に挿通され、図３に示すように、支持片７が押圧支持部２７，２８により押圧支持されているのみであるので、鏡筒６内を透過する光ビームの光軸を中心にして、開口部１１内で図５中矢印Ｒ1方向に回転可能となされている、
ベース１上に取り付けられたヨーク１７には、図２に示すように、対物レンズ支持機構１９が取り付けられる。対物レンズ支持機構１９は、対物レンズ１５を鏡筒６上に位置させ、レンズボビン４１に取り付けたフォーカシングコイル４３をマグネット２６を取り付けた一方の立ち上がり片２４に挿通し、他方の立ち上がり片２５をトラッキングコイル４４に対向するようにコイル取付穴４２に挿通してヨーク１７に配設される。このとき、鏡筒６内を透過する光ビームの光軸と対物レンズ１５の光軸とが一致するように対物レンズ支持機構１９のベース１に対する位置を調整する。対物レンズ支持機構１９は、光ビームの光軸と対物レンズ１５の光軸とが一致されたところで、取付板４７の両側に折り曲げ形成した接合片４８，４８が立ち上がり片２４，２５に接着剤を用いて接合されてヨーク１７に固定される。
【００４２】
上述のように、ベース１に鏡筒６を支持するとともに対物レンズ駆動機構１６を取り付けることにより本発明に係る光ピックアップ装置の組み立ては完了するが、鏡筒６に取り付けた光学デバイスの８の半導体レーザから出射され、回折格子により主ビームと２本の副ビームに分割された３本の光ビームの光ディスクの記録トラックに対する照射位置の調整が行われていない状態にある。
【００４３】
そこで、本発明に係る光ピックアップ装置は、ベース１に対し鏡筒６をこの鏡筒６内を透過する光ビームの光軸Ｐ0を中心に図５中矢印Ｒ1方向に回動調整すると、半導体レーザから出射され回折格子により分割された光ビームの主ビームＳ1と２本の副ビームＳ2，Ｓ3は、主ビームＳ1を中心にして光ディスク１０１の記録トラックＴに対し図６中矢印Ｘ1方向に回転される。鏡筒６を回転調整し、主ビームＳ1と２本のつ副ビームＳ2，Ｓ3の記録トラックＴに対する並び方向を調整することにより、図６に示すように、主ビームＳ1が光ディスク１０１の所定の記録トラックＴ1上に位置し、主ビームＳ1の両側に位置する一対の副ビームＳ2，Ｓ3が主ビームＳ1を挟んで記録トラックＴ1の両側に位置するような調整が行われる。
【００４４】
この調整は、光ディスクの回転駆動機構を備えた調整装置に本発明に係る光ピックアップ装置を取り付け、この光ピックアップ装置から光ビームを出射して光ディスクに照射し、この光ディスクから反射される光ビームの副ビームＳ2，Ｓ3をフォトディテクタ等の光検出器により検出し、その検出出力に基づいて主ビームＳ1及び副ビームＳ2，Ｓ3の記録トラックＴ1に対する照射位置を検出する。
【００４５】
そして、各副ビームＳ２，Ｓ３から検出される出力波形の位相がπ（１８０°）となるように、鏡筒６をこの鏡筒６内を透過する光ビームの光軸を中心に回動調整する。鏡筒６が回動調整されると、主ビームＳ１とこの主ビームＳ１の両側に位置する副ビームＳ２，Ｓ３の記録トラックＴ１に対する並び方向が主ビームＳ１を中心にして図６中矢印Ｘ１方向に回転される。
【００４６】
鏡筒６がベース１に対し回転され、副ビームＳ2，Ｓ3を検出して得られる検出出力が一致すると、主ビームＳ1が所定の記録トラックＴ1上に位置し、主ビームＳ1の両側に位置する副ビームＳ2，Ｓ3がそれぞれ記録トラックＴ1の両側に均等に一部ずつ掛かった状態に調整が行われる。
【００４７】
光ビームの記録トラックＴ1に対する照射位置の調整が行われたところで、ベース１の係合凹部１２内に接着剤を注入し支持片７を係合凹部１２に接合することにより、鏡筒６をベース１に固定する。
【００４８】
ところで、鏡筒６及びこの鏡筒６が挿通される開口部１１が楕円形に形成されているので、鏡筒６の開口部１１に対する回転範囲を規制することができ、容易且つ迅速な調整を行うことができる。
【００４９】
上述した例では、鏡筒６を回転操作して光ビームの光ディスク１０１の記録トラックＴに対する照射位置の調整を行う前に、対物レンズ駆動機構１６を構成する対物レンズ支持機構１９をベース１に取り付けられたヨーク１７に固定するようにしているが、対物レンズ支持機構１９を治具を用いて仮固定しておき、光ビームの照射位置の調整を行った後、対物レンズ支持機構１９のベース１に対する対物レンズ１５の光軸方向の取り付け角度、すなわち、対物レンズ１５を介して光ディスクに照射される光ビームが光ディスクの信号記録面に垂直に照射するように調整を行うようにしてよい。この場合には、対物レンズ支持機構１９のベース１に対する対物レンズ１５の光軸方向の取り付け角度の調整を行った後、取付板４７の両側に折り曲げ形成した接合片４８，４８を接着剤を用いてヨーク１７の支持片３０，３１に接合する。このように、対物レンズ支持機構１９のベース１に対する取り付け角度を調整することにより、対物レンズ１５を介して光ディスクに収束される光ビームの正確なフォーカシングを実現できる。
【００５０】
また、上述の例では、本発明を半導体レーザから出射される光ビームを回折格子により３本の光ビームに分割する３ビーム法によりトラッキングエラーを検出する光ピックアップ装置に適用した例を挙げて説明したが、本発明は、トラッキングエラー信号を１本の光ビームにより検出するプッシュプル法等を採用した光ピックアップ装置にも適用することができる。
【００５１】
半導体レーザから出射される光ビームは、楕円形の広がりをもって放射されるため、対物レンズにより収束されて光ディスクに照射されて形成されるビームスポットは非点較差を生じて楕円形になる。楕円形のビームスポットＳＢにあっては、光ディスク１０１に形成された記録トラックＴのトラックピッチＴＰが小さい場合には、図７に示すように、ビームスポットＳＢの向きによって互いに隣接する記録トラックＴ２，Ｔ３間に掛かってしまう。互いに隣接する記録トラックＴ１，Ｔ２又はＴ１，Ｔ３間にビームスポットＳＢが掛かってしまうと、正確なトラッキングエラー信号を得ることができなくなってしまう。例えば、プッシュプル法にあっては、記録トラックＴに沿って分割された２分割光検出器からの検出出力の差を用いてトラッキングエラー信号を検出するようにしているが、ビームスポットＳＢが互いに隣接する記録トラックＴ１，Ｔ２又はＴ１，Ｔ３に掛かってしまうと、光ビームの記録トラックＴに対するずれ量に応じた検出出力が得られなくなってしまう。
【００５２】
そこで、非点較差を生じて楕円形となるビームスポットＳＢが互いに隣接する記録トラックＴ２，Ｔ３に掛からないように、図７中に実線で示すようにビームスポットＳＢが記録トラックＴに対し一定の角度をなすように光ビームを照射する必要がある。
【００５３】
そこで、対物レンズにより収束されて光ディスクに照射されたとき、非点較差を発生させる半導体レーザの如き光源を用いた光ピックアップ装置にあっては、光源から出射される光ビームの向きを調整する必要がある。
【００５４】
本発明に係る光ピックアップ装置にあっては、上述したように、鏡筒６をベース１に対し回転調整することにより、光ビームの光ディスクに対する照射の向きを調整し、対物レンズ１５により収束されて光ディスクに照射されたとき、非点較差を発生させ楕円形となるビームスポットＳＢを記録トラックＴ１に対し一定の角度をなすよう調整することができる。
【００５５】
なお、１本の光ビームを用いてトラッキングエラー信号を得るようにした光ピックアップ装置においても、鏡筒６のベース１に対する調整を行った後、対物レンズ支持機構１９のベース１に対する対物レンズ１５の光軸方向の取り付け角度の調整を行うようにすることにより、対物レンズ１５を介して光ディスクに収束される光ビームの正確なフォーカシングを実現できる。
【００５６】
上述した例では、半導体レーザやフォトディテクを一体化した光学デバイスを鏡筒に取り付けた例を挙げて説明したが、鏡筒に組み込まれる光学系は、光ピックアップ装置に用いられる各種のものを用いることができる。
【００５７】
【発明の効果】
上述したように、本発明に係る光ピックアップ装置は、光源を含む光学系が配設された鏡筒を対物レンズ駆動機構が取り付けられるベースに対し回動可能に支持させてなるので、鏡筒のベースに対する回動調整を行うのみで光ビームの光記録媒体に対する照射位置の調整を行うことができるので、容易に調整を行うことができる。
【００５８】
さらに、鏡筒は、ベースに対し挿通させるのみでベースへの支持を行うことができるので、組み立ても容易となる。
【図面の簡単な説明】
【図１】本発明に係る光ピックアップ装置を示す分解斜視図である。
【図２】上記光ピックアップ装置の縦断面図である。
【図３】上記光ピックアップ装置の横断面図である。
【図４】上記光ピックアップ装置の平面図である。
【図５】上記光ピックアップ装置の底面図である。
【図６】３本に分割された光ビームの光ディスクの記録トラックに対する照射位置を調整する状態を示す平面図である。
【図７】楕円形状のビームスポットを形成する光ビームの光ディスクの記録トラックに対する照射位置を調整する状態を示す平面図である。
【符号の説明】
１  ベース、  ６  鏡筒、  ７  支持片、  ８  光学デバイス、  １１  開口部、  １２  係合凹部、  １５  対物レンズ、  １６  対物レンズ駆動機構、  １７  ヨーク、  ２７，２８  押圧支持片、  ２９  押圧突起。
【図１】
0004135244.tif 000002
【図２】
0004135244.tif 000003
【図３】
0004135244.tif 000004
【図４】
0004135244.tif 000005
【図５】
0004135244.tif 000006
【図６】
0004135244.tif 000007
【図７】
0004135244.tif 000008